(57)【要約】【課題】  カードリーダ内に引出し具等を設けることなく、簡易な構成で、カード等がカード搬送路内でカードジャムを起こした場合に確実にカードリーダ外部に排出することができるカード排出シートを提供すること。【解決手段】  カード排出シート２０はカード搬送路３内に詰まったカード２を挟み込むかえりを有する鈎部２１を備えており、詰まったカード２を鈎部２１とカード排出シート２０本体との間で挟み込んでカードリーダ１外部に排出する。【選択図】      図２
2005343635.tif 000002
【特許請求の範囲】
【請求項１】
カードリーダのカード搬送路で詰まったカードを除去するカード排出シートであって、このカード排出シートは前記詰まったカードを挟み込むようにするかえりを有する鈎部を備え、前記詰まったカードを前記鈎部と前記カード排出シート本体との間で挟み込むようにし前記カードリーダ外部に排出することを特徴とするカード排出シート。
【請求項２】
前記カード排出シートは、可撓性および弾性を有するＰＥＴ（ポリエチレン  テレフタレート）を基材としていることを特徴とする請求項１記載のカード排出シート。  
【請求項３】
前記鈎部のかえりの長さは、前記カード搬送路の高さよりも長いことを特徴とする請求項１または２記載のカード排出シート。
【発明の詳細な説明】
【技術分野】
【０００１】
本発明は、カードリーダのカード搬送路内に詰まったカードをカードリーダ外部に排出するために使用されるカード排出シートに関する。
【背景技術】
【０００２】
カードリーダは、たとえば、図１に示すような構成である。カードリーダとしてのＩＣカードリーダ１は、ＩＣカード２（以下、『カード２』とする）が搬送されるカード搬送路３と、モータＭにより動作し、カード２を搬送するカード送りローラ４と従動ローラ５と、カード２に形成されている磁気ストライプ（図示せず）に記録された情報を読み出す磁気ヘッド６と、カード２が当接する当接部８を有すると共にカード２の端子面に接するＩＣ接点９を有する接点ブロック７とを備えると共に、磁気ヘッド６は接点ブロック７よりＩＣカードリーダ１のカード挿入口１３側に設置されている。
【０００３】
そして、カード２がカード挿入口１３から接点ブロック７に向かって搬送されるとき、磁気ヘッド６により磁気ストライプに記録された情報が読み出され、その後に接点ブロック７にてカード２とデータのやり取りを行うようにしている。すなわち、カード２の先端が接点ブロック７の当接部８に当接して接点ブロック７を押すことにより、接点ブロック７はカード２に押圧する。このとき、接点ブロック７の接点バネ９がカード２の端子面に当接して、接点ブロック７とＩＣカード２の内蔵ＩＣとが接続される。この状態でデータのやり取りが行われる。
【０００４】
そして、処理を終えたカード２は、カード搬送路３の奥端側から排出されたり、あるいはカード挿入口１３に戻されて排出される。
【０００５】
ところで、カード２やプリペイドカード等のカードは、その管理状態によって湾曲または変形したりオイル等が付着することがあり、このようなカードがカード搬送路３内に挿入されると、カードジャムと称するカード搬送路３内にカードが詰まってしまう現象が発生することがある。
【０００６】
従来は、カードリーダ内に取り残されたカードが所定時間経過しても排出されない場合、シートの先端部に櫛歯を互い違いに異なる方向に曲げたＹ字状のフック部を備えた除去シートを用いて、取り残されたカードをカードリーダ内の排出口に押し出すようにしていた。（例えば特許文献１参照）。
【０００７】
また、カードリーダにカード詰まり除去用引き出し具を予め装着し、取り残されたカードをカードリーダ内から外部に引き出ししている。（例えば特許文献２参照）。
【０００８】
特許文献１に開示されたカード除去シート１３１は、図５（Ａ）、（Ｂ）に示すように、長方形をしており、フック部１３２がカード進行方向Ａの一端部に設けてある。フック部１３２は櫛歯状になっており、櫛歯をシート厚さ方向へ交互に反対向きに斜めに曲げてある。また、カード除去シート１３１の基材１３１ｂはスチール製で、磁気ヘッドに傷を付けないように表面にはヘッドクリーニング材１３１ａをコーティング、又は接着してある。
【０００９】
そして、センサ１２がカード２を検知できないと、カードリーダ１がジャム発生と認識する。これにより、モータＭをカード進行方向Ａに回転させ、カード除去シート１３１を挿入口１３より挿入すると、カード除去シート１３１はカード送りローラ４、従動ローラ５とによりカード進行方向Ａへ搬送され、その先端部のフック部１３２がジャムを起しているカード２の先端部に当接する。カード２はカード除去シート１３１によってカード進行方向Ａにカード除去シート１３１とともに排出口（図示しないがカードリーダ１の奥側）へ排出される。
【００１０】
また、特許文献２に開示されたカードリーダ２００では、図６に示すとおり、カードリーダ２００内に、詰まったカード２３０を取り出すための引出し具２２２を設けている。引出し具２２２は、全体形状を略Ｕ字状とした棒状の部材で形成してなる。
そして、図６に示すように両端部を垂直に折り曲げてカード２３０の縁を係止する係止部を形成してある。
【００１１】
この引出し具２２２は、カードリーダ２００内のカード２３０の装着位置の下側に設けてある。カード２３０がカードリーダ２００内で引掛り排出されなくなった場合、利用者は引出し具２２２の摘持部２１０を図の矢印方向に引く。このとき、係止部がカ−ド２３０の縁に引掛っているため、カード挿入口２２１側へカード２３０が引き出され、容易に外へ排出されることとなる。
【００１２】
【特許文献１】特開平５−１４３７８１号公報
【特許文献２】特開平４−１７８９５８号公報
【発明の開示】
【発明が解決しようとする課題】
【００１３】
しかしながら、特許文献１に開示されたカード除去シートでは、先端がＹ字状のフック部であり、カード進行方向Ａに押し出すことしかできず、カード引き抜き方向Ｂ（カード進行方向Ａとは逆方向）へカード２を引き戻して取り出すことができないという問題がある。
また、取り残されたカード２をカードリーダ１内の排出口（図示せず）に押し出すため、カードリーダとは別体のカードスタッカ（図示せず）を設けなければならず、カードリーダ１を含む装置全体が大型化となる。
【００１４】
つぎに、特許文献２に開示されたカードリーダでは、使用するしないにかかわらず、引き出し具はカードリーダに装着した構造であり、部品点数が多くなり、コストアップにつながる。
また、係止部の長さが短いと、折れ曲がったカードや、プリペイドカードのような薄いカードを確実に引っ掛けることが難しく、逆に、長すぎると、カード搬送路を構成するフレームに接触したりし、スムーズな動作を行うこともできないという問題もある。
【００１５】
そこで、本発明の課題は、カードリーダ内に引出し具等を設けることなく、簡易な構成で、カード等がカード搬送路内でカードジャムを起こした場合に確実にカードリーダ外部に排出することができるカード排出シートを提供することにある。
【課題を解決するための手段】
【００１６】
上記の課題を解決するために、本発明では、カードリーダのカード搬送路で詰まったカードを除去するカード排出シートであって、このカード排出シートは前記詰まったカードを挟み込むようにするかえりを有する鈎部を備え、前記詰まったカードを前記鈎部と前記カード排出シート本体との間で挟み込むようにし前記カードリーダ外部に排出することを特徴とする。
【００１７】
本発明においては、カード搬送内に詰まったカードを、鈎部とカード排出シート本体との間で挟み込むようにしカードリーダ外部に排出することができるので、カードを収納するカードスタッカを設ける必要もなく、カードリーダを含む装置全体の大型化を防止している。
また、カード排出シートを用いて詰まったカードを排出できるので、カードリーダ自体にカード排出シートを設置する構造をとることもなく、コストアップを防いでいる。
【００１８】
本発明において、カード排出シートは、可撓性および弾性を有するＰＥＴ（ポリエチレン  テレフタレート）を基材とすることが好ましい。このように構成することで、カード搬送路内に押し込まれた際も、カード搬送路に突出している各構成部品に対してもなじむようになっているので、カード排出シートは各構成部品の外周面を摺動し各構成部品を傷めることなく、詰まったカードを排出することができる。
【００１９】
また、本発明において、鈎部のかえりの長さは、カード搬送路の高さよりも長いことが好ましい。このように構成することで、鈎部とカード排出シート本体との開き角度θが鋭角となり、カード排出シートをカード引き抜き方向に引き抜いたとしても、鈎部が反り返ることなく、カード排出シートがもつ可撓性および弾性により、カード搬送路内に突出している各構成部品の外周面に沿って摺動させることができ、鈎部が反り返って使用不能となることを防止できる。
【発明の効果】
【００２０】
本発明においては、カード搬送内に詰まったカードを、前記鈎部と前記カード排出シート本体との間で挟み込むようにしカードリーダ外部に排出することができるので、カードを収納するカードスタッカを設ける必要もなく、カードリーダを含む装置全体の大型化を防止している。
また、カード排出シートを用いて詰まったカードを排出できるので、カードリーダ自体にカード排出シートを設置する構造をとることもなく、コストアップを防いでいる。
【発明を実施するための最良の形態】
【００２１】
以下、本発明を実施するための最良の形態を図面に基づいて説明する。
【００２２】
図１は、カードリーダを示す概略側面図である。図２は、本発明の一実施例を示すカード排出シートの平面図及び正面図である。図３は、他の実施形態を示すカードリーダのカード排出シートを示す平面図である。図４（ａ）〜（ｄ）は、カード排出シートの動作を示す図である。
【００２３】
（カードリーダの構成）
図１は、本発明のカードリーダとしてのＩＣカードリーダ１の実施の一形態を示す。このＩＣカードリーダ１は、カード２が搬送されるカード搬送路３と、モータＭにより動作し、カード２を搬送するカード送りローラ４と従動ローラ５と、カード２に形成されている磁気ストライプ（図示せず）に記録された情報を読み出す磁気ヘッド６と、カード２が当接する当接部８を有すると共にカード２の端子面に接する接点バネ９を有する接点ブロック７とを備えると共に、磁気ヘッド６は接点ブロック７よりＩＣカードリーダ１のカード挿入口１３側に設置されている。
【００２４】
接点ブロック７は、図１、図４（ａ）〜（ｄ）に示すように、４本のリンク１０によってカード搬送路３に対して突出及び退避可能であるように支持されている。また、接点ブロック７には、カード２の先端と当接するようにカード搬送路３に向かって突出する当接部８が形成されている。カード２が挿入されていない状態は、ＩＣ接点ブロック７は弾性部材、例えば引っ張りコイルバネ１１によってカード引き抜き方向Ｂ（カード進行方向Ａと逆方向）に引き寄せられている。これにより、ＩＣ接点ブロック７は、カード２のカード進行方向Ａへの移動に伴いカード搬送路３に向かって下降するように構成されている。ＩＣ接点ブロック７が下降すると、接点バネ９がカード２の接触式入出力端子（図示せず）に接触する。
【００２５】
接点バネ９は、通信の信頼性向上のために、カード２の接触式入出力端子と弾性的に接触するものが好ましく、また接点圧が集中するように点接触するものが好ましい。このため、本実施形態では、ねじりコイルバネにより接点バネ９を構成している。
【００２６】
そして、カード２がカード挿入口１３から接点ブロック７に向かって搬送されるとき、磁気ヘッド６により磁気ストライプに記録された情報が読み出され、その後に接点ブロック７にてカード２とデータのやり取りを行うようにしている。
【００２７】
さらに、カード送りローラ４はモータＭにより駆動され、このカード送りローラ４の回転が従動ローラ５に伝達され、カード送りローラ４と従動ローラ５は一体的に回転する。これらカード送りローラ４、従動ローラ５との回転によりカード２を所定の方向に搬送することができる。
【００２８】
本実施形態のＩＣカードリーダ１は、カード送りローラ４、従動ローラ５より奥のカード搬送路３にカード長さよりも短い間隔で配置した複数のカード検出センサ１２を有している。カード検出センサ１２は、各センサ１２のカード検出信号の有無から、カード２がカード搬送路３のどの位置にあるかを検出するために用いる。カード検出センサ１２は、本実施形態では発光素子と受光素子から成るフォトセンサを用いている。但し、これには限られず機械式スイッチ等他のセンサを用いても良い。また、中、符号１４は制御回路を搭載した回路基板である。
【００２９】
（カード排出シートの構成）
次に、カード搬送路に詰まったカードを排出するカード排出シートについて詳細に説明する。
【００３０】
カード排出シート２０は、図２（ａ）、（ｂ）に示すように長方形をしており、幅寸法Ｗはカード搬送路の幅寸法より少し短くなっており、長手方向の寸法Ｌはカードリーダ１のカード搬送路３よりも長くなっている。
【００３１】
このカード排出シート２０は、カード進行方向Ａの先端側にジャムしたカードを挟み込むようにするかえりを有する鈎部２１と、利用者が把持する把持部２２と、カード搬送路３に突出している接点バネ９との接触を避けるために形成した凹部２３とからなっている。
【００３２】
鈎部２１は、図２（ａ）に示すように凹部２３を囲むように３つ設けられている。
また、各鈎部２１は長方形であり、カード排出シート２０の先端側の一辺（以下、「根元部２１ａ」とする）を残し、その他の三辺（以下、それぞれ、「先端部２１ｂ」、「側端部２１ｃ」、「側端部２１ｄ」とする）に切り込みをいれている。
鈎部２１は、その先端部２１ｂに向かうにしたがい開くようになっているが、図２（ｂ）に示すように、その開き角度θは鋭角、すなわち、９０°より小さくなっている。
また、鈎部２１は、根元部２１ａを支点として可撓性を有している。
【００３３】
鈎部２１の長さｍ１、ｍ２はカード搬送路３の高さＨ（図１参照）より長くなっている。
長さｍ１、ｍ２が高さＨよりも短いと、鈎部２１の先端部２１ｂがカード搬送路３の図示下面に接触しないので、カード排出シート２０をカード引き抜き方向Ｂに移動させた場合、カード２の引き抜き負荷によっては、根元部２１ａを支点として鈎部２１が容易に反り返ってしまう。このように、鈎部２１が反り返ってしまうと、カード排出シート２０が使用できなくなる場合もある。
また、反り返る際、鈎部２１の先端部２１ｂに接触すると、カード送りローラ４の外周面を傷つけることもある。
【００３４】
そこで、本実施の形態に示すカード排出シート２０では、鈎部２１の長さｍ１、ｍ２が、カード搬送路３の高さＨよりも長くしている。
これにより、鈎部２１の先端部２１ｂは常にカード搬送路３の下面に接触することになり、その開き角度θは鋭角であり、９０°より小さくなっている。
このように、鈎部２１の長さｍ１、ｍ２  が高さＨよりも長いので、たとえ、カード２の引き抜き時にカード２から大きな負荷を受けても、先端部２１ｂがカード搬送路３の下面と接触するため、容易に反り返ることはなく、カード排出シート２０がもつ可撓性や弾性により、カード送りローラ４の外周面に沿って移動し始める。
【００３５】
なお、鈎部２１の長さｍ１、ｍ２は、その長さは先端部２１ｂがカード搬送路３に接触する長さであれば、同じ長さであってもよいし、別々の長さとしてもよい。
また、先端部２１ｂがカード搬送路３に接触する長さであることを満足すれば、いくつかの長さを持つカード排出シートを複数用意しておいてもよい。
さらに、鈎部２１の形状についても、図２（ａ）、（ｂ）に示す長方形に限定されるものではなく、詰まったカードを挟み込むことが可能であれば、どのような形状でもよい。
【００３６】
上述したカード排出シート２０は、可撓性および弾性を有するＰＥＴ（ポリエチレン  テレフタレート）を基材としている。このため、カード搬送路３内を押し込まれた際も、カード搬送路３に突出しているカード送りローラ４、従動ローラ５、磁気ヘッド６等の各構成部品に対してもなじむようになっている。すなわち、各構成部品の外周面に沿って摺動することが可能となっている。なお、材質はＰＥＴに限定されるものではなく、可撓性、弾性を有する材質、例えば、ポリプロピレン（ＰＰ）シート、ポリカーボネート(ＰＣ)シート等でもよい。
【００３７】
（カードの処理動作）
上述したＩＣカードリーダ１およびカード排出シート２０を用いてカード搬送路３内につまったカードを排出する動作を以下に説明する。
【００３８】
磁気ストライプを備えると共にＩＣ（図示せず）を内蔵するカード２をカード挿入口１３から挿入すると、最もカード挿入口１３寄りのカード検出センサ１２がカード２を検出して、モータＭを駆動する。これにより、カード送りローラ４、従動ローラ５が作動し、カード２の先端がカード送りローラ４、従動ローラ５に到達してからカード２はこれらによりカード搬送路３を自動で搬送される。
そして、カード送りローラ４に隣接する磁気ヘッド６により、磁気ストライプに記憶されている磁気データが読み取られる。次いで、カード２の先端が接点ブロック７の当接部８に当接して接点ブロック７を押すことにより、接点ブロック７はカード２に押圧する。このとき、接点ブロック７のＩＣ接点９がカード２の端子面に当接して、接点ブロック７とカード２の内蔵ＩＣとが接続される。この状態でデータのやり取りが行われる。
【００３９】
一方、カード２が、カード搬送路３内に取り込まれ、所定時間以上カード搬送路３内に位置したり、あるいは、カード搬送路３内での移動速度が著しく遅くなると、カード搬送路３内に配置されるカード検出センサ１２の信号に基づき、制御回路１４が、『カード詰まり』と判断して、モータＭが停止する。
【００４０】
モータＭが停止後、カード挿入口１３に、カード排出シート２０を挿入し、作業者が手動でカード排出シート２０をカード搬送路３内に押し込んでいく（図４（ａ）参照）。
押し込まれるカード排出シート２０は、その鈎部２１のかえりがカード進行方向Ａに対し抵抗しない方向に形成されているのでスムーズに押し込むことができる。
カード排出シート２０はカード搬送路３内を押し込まれた際も、カード搬送路３に突出しているカード送りローラ４、従動ローラ５、磁気ヘッド６等の各構成部品に対してもなじむようになっているので、これら部品の外周面に沿って摺動する。
【００４１】
そして、詰まったカード２の図示上面を摺動しながら、さらに、カードリーダ１の奥側に押し込まれ、接点ブロック７の当接部８に当接する（図４（ｂ）参照）。
この状態では、３箇所に形成された鈎部２１のうち、凹部２３の横に形成された２つの鈎部２１の先端部２１ｂは、詰まったカード２の先端よりも奥側になっている。
残りの１つの鈎部２１は、図４（ｂ）に示すように、詰まったカード２の上面に位置している。
また、カード排出シート２０は、その凹部２３により、カード搬送路３に突出している接点バネ９との接触を避けるようになっている。
【００４２】
つぎに、作業者がカード排出シート２０を、カード引き抜く方向Ｂ（カード進行方向Ａと逆方向）、すなわち、カード挿入口１３側に引き抜くと、詰まったカード２の先端よりも奥側に位置している２つの鈎部２１が詰まったカード２の先端に当接する。
当接後、図４（ｃ）に示すように、鈎部２１のかえりがカード搬送路３の下面に向かって進もうとし、２つの鈎部２１の先端部２１ｂは詰まったカード２とカード搬送路３の下面に入り込む。
【００４３】
さらに、カード引き抜き方向Ｂにカード排出シート２０が引かれると、詰まったカード２は、２つの鈎部２１とカード排出シート２０本体との間に挟み込まれた状態で、カード排出シート２０と一体的になって移動する（図４（ｄ）参照）。
作業者がカード引き抜き方向Ｂにさらに引き抜きことで、挟みこまれたカード２は、カード排出シート２０とともにカード挿入口１３から排出される。
【００４４】
なお、カード搬送路３には、カード送りローラ４、従動ローラ５、磁気ヘッド６等の各構成部品がカード搬送路３にむかって突出しているが、カード送りローラ４にロックがかかっていない限り、作業者の引き抜き力により、カード送りローラ４、従動ローラ５間を通過することができる。さらに、カード排出シート２０の鈎部２１も、上述したとおり、開き角度θが鋭角になっているので、鈎部２１が反り返ることもなく、カード排出シート２０の可撓性や弾性により、なじむようになり、すなわち、カード送りローラ４ａの外周面に沿って移動し始めるため、詰まったカード２と一体的にこれら部品の外周面に沿って摺動する。
【００４５】
（本形態の効果）
カード搬送路３内に詰まったカードを、かえりを有する鈎部２１とカード排出シート２０本体との間で挟み込むようにしカードリーダ１外部に排出することができるので、カードリーダ１内にカードを収納する収納部を設ける必要もなく、カードリーダ１を含む装置全体の大型化を防止している。
また、カード排出シート２０を用いて詰まったカードを排出できるので、カードリーダ１自体にカード排出シート２０を設置する構造をとることもなく、コストアップを防いでいる。
【００４６】
また、カード排出シート２０は、可撓性および弾性を有するＰＥＴ（ポリエチレン  テレフタレート）を基材としており、カード搬送路３内を押し込まれた際も、カード搬送路３に突出している各構成部品に対してもなじむようになっているので、各構成部品を傷めることなく、詰まったカード２を排出することができる。
【００４７】
さらに、鈎部２１のかえりの長さｍ１、ｍ２は、カード搬送路３の高さＨよりも長いので、カード排出シート２０をカード引き抜き方向Ｂに引き抜かれたとしても、鈎部２１の先端部２１ｂがカード搬送路３の下面に接触し、カード排出シート２０本体と鈎部２１との開き角度θが鋭角となるので、鈎部２１が反り返ることもなく、カード排出シート２０の可撓性や弾性により、なじむようになり、すなわち、カード搬送路３内の各構成部品の外周面に沿って摺動させることができ、反り返って使用不能となることは防止できる。
【００４８】
（他の実施の形態）
なお、上述の実施形態は本発明の好適な実施例の一例であるがこれに限定されるものではなく、本発明の要旨に逸脱しない範囲において種々変形実施可能である。
【００４９】
本実施の形態では、接点ブロック７を備えたＩＣカードリーダ１であるため、接点バネ９との接触を避けるため、凹部２３を形成しているが、磁気ヘッド６だけからなる磁気カードリーダの場合や、接点ブロック７を必要としない非接触式ＩＣカードリーダの場合には凹部２３を形成しなくてもよい。
例えば、図３に示すカード排出シート３０では、幅方向全体にかえりを備えた鈎部３１を形成してもよい。
【００５０】
また、カード排出シート３０には、利用者が把持する把持部２２と、カード挿入口１３に当接する規制部３３を設けている。これにより、カード排出シート３０がカード搬送路３に挿入した際、カード排出シート３０をカードリーダ１内に挿入しすぎて、カードリーダ１内に配置されている部品等に不用意に接触することを避けることができる。
【００５１】
例えば、本実施形態は、接点ブロックを備えたＩＣカードリーダであるが、磁気ストライプを備えた磁気カードの情報を読み書きする磁気カードリーダや、接点ブロックを必要としない非接触式ＩＣカードリーダに用いてもよい。
【００５２】
さらに、プリペイドカード等のような薄いカードに用いるカードリーダでもよい。
【図面の簡単な説明】
【００５３】
【図１】本発明の実施の形態に係るカードリーダの概略構成を示す平面図である。
【図２】本発明の実施の形態に係るカード排出シートを示し、（ａ）は平面図であり、（ｂ）は正面図である。
【図３】他の実施の形態を係るカード排出シートを示す平面図である。
【図４】（ａ）〜（ｄ）はカード排出シートの処理動作を説明する説明図である。
【図５】従来例のカード除去シートを示し、（Ａ）は平面図であり、（Ｂ）は正面図である。
【図６】従来例の他の実施の形態に係るカードリーダのカード詰まり除去構造を示す概略図である。
【符号の説明】
【００５４】
１  カードリーダ
２  カード
３  カード搬送路
７  接点ブロック
８  当接部
９  接点バネ
１２  カード検出センサ
１３  カード挿入口
２０、３０  カード排出シート
２１、３１  鈎部
２２、３２  摘持部
【図１】
2005343635.tif 000003
【図２】
2005343635.tif 000004
【図３】
2005343635.tif 000005
【図４】
2005343635.tif 000006
【図５】
2005343635.tif 000007
【図６】
2005343635.tif 000008